(57)【要約】【課題】加工が容易で、しかも操作手段を、狭小な肘掛けにも、簡単かつ迅速に組み付けることができるようにした椅子を提供する。【解決手段】座または背凭れに設けた被操作手段と、肘掛け８に設けた操作レバー２２とを、可撓性のケーブル３４をもって互いに連係し、操作レバー２２により、被操作手段を操作するようにした椅子において、肘掛け８を、座の側部に固着した肘当て支持体４と、その上端に着脱可能として取り付けた肘当て部材１０とにより構成し、かつ操作レバー２２を、肘当て部材１０の下面に取り付ける。【選択図】  図１
2010193925.tif 000002
【特許請求の範囲】
【請求項１】
座または背凭れに設けた被操作手段と、肘掛けに設けた操作手段とを、可撓性のケーブルをもって互いに連係し、前記操作手段により、被操作手段を操作するようにした椅子において、
前記肘掛けを、座の側部に固着した肘当て支持体と、その上端に着脱可能として取り付けた肘当て部材とにより構成し、かつ前記操作手段を、前記肘当て部材の下面に取り付けたことを特徴とする椅子。
【請求項２】
操作手段が、肘当て部材の前部下面に、左右方向を向く枢軸をもって枢着され、前端部が、肘当て部材の前端または肘当て支持体の上部前端に設けた開口より前方に突出し、かつ前記枢軸から離れた部分にケーブルの端末が止着された操作レバーを備えるものとした請求項１記載の椅子。
【請求項３】
肘当て部材の前部下面に設けた上向の凹部に、操作レバーの枢軸の一部を下方より嵌合し、かつ肘当て部材の前部下面に設けた押え部材の一部を、前記枢軸の下面に当接させて、枢軸を凹部から抜け止めし、さらに、前記押え部材の他部をもって、ケーブルを軸方向に摺動可能として案内する可撓性のアウターチューブの端末部を支持するようにした請求項２記載の椅子。
【請求項４】
押え部材を、枢軸の一部を押える平板状の押え片と、この押え片と平行の水平片の一端より垂下する垂下片の下端部で、アウターチューブの端末部を支持するようにした側面視倒立Ｌ字状の保持片とからなるものとした請求項３記載の椅子。
【請求項５】
肘当て支持体の上部を、断面ほぼＶ字状をなして前方を向くアーム状のものとし、上端の開口部に、肘当て部材を、前記開口部を塞ぐように取り付けた請求項１〜４のいずれかに記載の椅子。
【発明の詳細な説明】
【技術分野】
【０００１】
本発明は、座または背凭れに設けた被操作手段と、肘掛けに設けた操作手段とを、可撓性のケーブルをもって互いに連係し、前記操作手段により、被操作手段を操作するようにした椅子に関する。
【背景技術】
【０００２】
従来のこの種の椅子のうち、肘掛けを、座の側部に固着した肘当て支持体と、その上端に着脱可能として取り付けた肘当て部材とにより構成したものにおいては、ケーブルと操作手段との接続を容易にするため、操作手段は、肘当て支持体に取り付けられている(例えば、特許文献１および２参照)。
なお、被操作手段としては、背凭れのリクライニング機構、背凭れの付勢力調節機構、座の前後位置調節機構等が一般的であるが、それ以外の椅子の各部の調節機構であることもある。
【先行技術文献】
【特許文献】
【０００３】
【特許文献１】特許第４０５０９６８号公報
【特許文献２】特開２００７−３３０３６４号公報
【発明の概要】
【発明が解決しようとする課題】
【０００４】
しかし、鉄道車両や航空機の客室において使用される椅子においては、肘当て部材は、単なる水平板か、またはその上面にクッション体等を設けたに過ぎない簡素なものであるのに対して、肘当て支持体は、種々のデザインが要求される大きい成型体であり、その大型の成型体に、操作手段における操作レバーやその軸等を装着するための細かな加工を施さなければならないため、製造作業が繁雑化し、コストの増大を招いている。
【０００５】
また、事務用椅子においては、意匠的観点から、肘掛けを細くするか、または薄くすることがあり、このような肘掛けの狭い部分に、背凭れのリクライニング機構等の操作手段を設けようとすると、細密で煩雑な加工が必要となる。
【０００６】
本発明は、上記のような問題点に鑑み、加工が容易で、しかも操作手段を、狭小な肘掛けにも、簡単かつ迅速に組み付けることができるようにした椅子を提供することを目的としている。
【課題を解決するための手段】
【０００７】
本発明によると、上記課題は、次のようにして解決される。
(１)  座または背凭れに設けた被操作手段と、肘掛けに設けた操作手段とを、可撓性のケーブルをもって互いに連係し、前記操作手段により、被操作手段を操作するようにした椅子において、前記肘掛けを、座の側部に固着した肘当て支持体と、その上端に着脱可能として取り付けた肘当て部材とにより構成し、かつ前記操作手段を、前記肘当て部材の下面に取り付ける。
【０００８】
このような構成とすると、大型の成型体である肘当て支持体には、操作手段を装着するための細かな加工を施す必要がなく、しかも、平板状の肘当て部材に、操作手段を装着するための加工を、広い作業空間において、簡単に施すことができ、加工時の作業性をよくすることができる。
しかも、肘当て部材に、操作手段、および必要に応じてケーブルを予め装着しておいてから、肘当て部材を、肘当て支持体に装着するだけで、操作手段を、狭小な肘掛けにも、簡単かつ迅速に組み付けることができる。
【０００９】
(２)  上記(１)項において、操作手段を、肘当て部材の前部下面に、左右方向を向く枢軸をもって枢着され、前端部が、肘当て部材の前端または肘当て支持体の上部前端に設けた開口より前方に突出し、かつ前記枢軸から離れた部分にケーブルの端末が止着された操作レバーを備えるものとする。
【００１０】
このような構成とすると、操作手段の構成を簡素化することができる。
【００１１】
(３)  上記(２)項において、肘当て部材の前部下面に設けた上向の凹部に、操作レバーの枢軸の一部を下方より嵌合し、かつ肘当て部材の前部下面に設けた押え部材の一部を、前記枢軸の下面に当接させて、枢軸を凹部から抜け止めし、さらに、前記押え部材の他部をもって、ケーブルを軸方向に摺動可能として案内する可撓性のアウターチューブの端末部を支持するようにする。
【００１２】
このような構成とすると、肘当て部材の凹部に、操作レバーの枢軸の一部を下方より嵌合し、その下方から、押え部材を枢軸の下面に当接させて、押え部材を肘当て部材の下面に止着するだけで、操作レバーを、簡単かつ迅速に、肘当て部材に取り付けることができ、しかも、上記押え部材の他部をもって、アウターチューブの端末部を支持することができるので、好都合である。
【００１３】
(４)  上記(３)項において、押え部材を、枢軸の一部を押える平板状の押え片と、この押え片と平行の水平片の一端より垂下する垂下片の下端部で、アウターチューブの端末部を支持するようにした側面視倒立Ｌ字状の保持片とからなるものとする。
【００１４】
このような構成とすると、押え部材を、押え片と保持片との２部材により、簡単に形成することができる。
【００１５】
(５)  上記(１)〜(４)項のいずれかにおいて、肘当て支持体の上部を、断面ほぼＶ字状をなして前方を向くアーム状のものとし、上端の開口部に、肘当て部材を、前記開口部を塞ぐように取り付ける。
【００１６】
このような構成とすると、肘当て支持体の内部空間が上方ほど広幅となって、操作手段を余裕を持って収容することができるとともに、肘当て支持体の上部におけるＶ字状の溝底部に、ケーブルを、側方に遊動することのないように、安定よく配設することができる。
また、鉄道車両や航空機の客室用の椅子に適用した場合は、通路側および着座者側の空間を確保することができ、しかも、意匠性を向上することができる。すなわち、肘掛けの外観を、スマートでシンプルなものとすることができる。
【発明の効果】
【００１７】
本発明によると、加工が容易で、しかも操作手段を、狭小な肘掛けにも、簡単かつ迅速に組み付けることができるようにした椅子を提供することができる。
【図面の簡単な説明】
【００１８】
【図１】本発明を、二人掛けの車両用の椅子に適用した一実施形態の外観斜視図である。
【図２】同じく、一方の側枠部材を、前斜め上方より見た分解斜視図である。
【図３】同じく、側枠部材の上部を破断して示す一部切欠き側面図である。
【図４】同じく、肘当て部材と操作ハンドルとを後斜め下方より見た分解斜視図である。
【図５】押え部材の変形例を、前斜め上方より見た斜視図である。
【発明を実施するための形態】
【００１９】
次に、本発明の一実施形態を、図１〜図４を参照して説明する。
図１に示すように、この椅子は、本発明を、二人掛けの車両用の椅子に適用したもので、車両の床に設けた水平回転する回転台(図示略)上に固着された横長の台座１上に、左右１対の座２、２と、各座２の後方において後傾可能とした左右１対の背凭れ３、３と、各座２の外側部に配設した左右１対の側枠部材４、４とを取り付けたものよりなっている。
なお、台座１上には、左右の背凭れ３、３間において、中間部肘掛け５を左右方向を向く軸(図示略)回りに回動可能として支持する手段(図示略)も設けられているが、これは、本発明には直接関係しないので、これについての詳細な図示および説明は省略する。
【００２０】
図１〜図３に示すように、各側枠部材４は、各座２の外側面を覆うベース部６と、その後部から起立し、起立時の背凭れ３の外側面の下部を覆う起立部７と、この起立部７の上端より前方を向く肘掛け８における肘当て支持部９とを一体的に形成した側面視ほぼコ字状のアルミダイキャストの成型体よりなっている。
【００２１】
肘当て支持部９は、断面ほぼＶ字状をなして前方を向くアーム状のものであって、その上端の開口部には、前後方向を向くほぼ平板状の肘当て部材１０が、その開口部を塞ぐように取り付けられている。
このように、肘当て支持部９を断面ほぼＶ字状としたことにより、通路側および着座者側の空間を確保することができ、しかも、意匠性を向上することができる。すなわち、肘掛け８の外観を、スマートでシンプルなものとすることができる。
この肘当て支持部９と肘当て部材１０とにより、肘掛け８が形成されている。
【００２２】
肘当て部材１０は、弾性を有する合成樹脂の成型体よりなり、その前端より垂下する垂下片１１には、正面視横長方形の窓孔１２とその下方中央のねじ挿通孔１３とが設けられている。
【００２３】
肘当て部材１０の下面後部には、左右１対のボス部１４、１４が設けられており、各ボス部１４の下面中央には、ねじ孔１５が設けられている。
肘当て部材１０は、肘当て支持部９上に、その上面開口部を閉塞するようにして嵌合した状態で、垂下片１１に設けたねじ挿通孔１３に前方より挿通した固定ねじ１６を、肘当て支持部９の前端面に設けたねじ孔１７に螺合して締め付け、かつ肘当て支持部９の後部に設けた上下方向を向く左右１対のねじ挿通孔１８、１８に下方より挿通した固定ねじ１９、１９を、上記ねじ孔１５、１５に螺合して締め付けることにより、肘当て支持部９に、着脱可能として強固に固着されている。
【００２４】
図４に示すように、肘当て部材１０の下面前部には、下端に上向きの凹部２０が形成された左右１対の軸受片２１、２１が設けられており、この両軸受片２１、２１の凹部２０、２０に、操作手段である操作レバー２２と一体に形成された左右方向を向く枢軸２３の両側端部が、その中心軸線回りに回動可能として、下方より嵌合されている。
【００２５】
操作レバー２２は、枢軸２３より前下方に延出する左右１対の側片２４、２４と、両側片２４、２４の先端に連設され、肘当て部材１０の窓孔１２より前方に突出する平板状の手掛け部２５と、この手掛け部２５の後部より起立し、手掛け部２５の上方における窓孔１２を閉塞し、手掛け部２５が上向き回動させられたときは、肘当て部材１０における垂下片１１の後面に沿って上昇するようにした閉塞片２６と、枢軸２３の左右方向の中央部より後斜め下方に向かって延出する腕片２７とを備えている。
【００２６】
図４に示すように、肘当て部材１０の下面における軸受片２１、２１より若干後方の部分には、前後１対のボス部２８、２８が下向き突設されており、各ボス部２８の中央に設けた各ねじ孔２９には、図２および図３に示すような前後方向を向く板状の押え片３０と保持片３１とを共締めする固定ねじ３２が螺合しており、前後の固定ねじ３２、３２を締め付けることにより、押え片３０と保持片３１とが、上下に重ね合わされた状態で、肘当て部材１０の下面に強固に固着されている。
この押え片３０と保持片３１とにより、押え部材３２が形成されている。
【００２７】
押え片３０の前端両側部より前方に向かって突出する前向突部３０ａ、３０ａは、左右の軸受片２１、２１の凹部２０、２０に下方より嵌合された操作レバー２２の枢軸２３の両側端部の下面に当接することにより、枢軸２３を凹部２０から抜け止めしている。
【００２８】
保持片３１は、押え片３０と平行の水平片３１ａと、その前端より垂下する垂下片３１ｂとからなる側面視倒立Ｌ字状のもので、垂下片３１ｂには、保持孔３３が設けられている。
【００２９】
保持孔３３には、ボーデンケーブル３４における芯材である可撓性のケーブル３５を軸方向に摺動可能として案内する可撓性のアウターチューブ３６の一方の端末に設けた接続用のエンドキャップ３７が嵌着されている。
【００３０】
エンドキャップ３７より前方に向けて引き出されたケーブル３５の一方の端末に止着されたエンド部材３８は、操作レバー２２における腕片２７の下端部に、左右方向を向く軸３９をもって連結されている。
【００３１】
ボーデンケーブル３４は、肘掛け８内と、側枠部材４における起立部７とベース部６とを順次通って、台座１内に引き込まれ、そこで被操作手段に接続されるか、または、そこからさらに背凭れ３内に引き込まれ、そこで背凭れ３内に設けた被操作手段に接続される。
【００３２】
被操作手段は、操作手段である操作レバー２２によって操作することのできるものであればどのようなものでもよく、例えば、この椅子内に配設される背凭れ３のリクライニング機構、背凭れ３の付勢力調節機構、座２の前後位置調節機構等とすることができる。
【００３３】
その一例として、被操作手段を背凭れ３のリクライニング機構とする場合は、図示は省略するが、左右方向を向く軸をもって台座１に枢着した背凭れ３の下端部と、台座１の前部とを、ガススプリングをもって連結し、このガススプリングにおける伸縮を可能とするためのプッシュボタンを押動するレバーに、ボーデンケーブル３４におけるケーブル３５の他方の端末を止着し、かつ上記レバーを枢着した支持手段に、ボーデンケーブル３４におけるアウターチューブ３６の他方の端末を止着すればよい。
【００３４】
この実施形態においては、図３に示すように、操作レバー２２における手掛け部２５の後端が、窓孔１２の下縁に当接した不作動位置に停止している状態から、手掛け部２５を上方に回動させると、操作レバー２２の腕片２７が、図３における時計回りに回動させられて、ケーブル３５が前方に引き出され、それによって、上記レバーがケーブル３５により牽引させられて、プッシュボタンを押動する方向に回動させられ、このときのプッシュボタンの押動により、ガススプリングが伸縮可能となり、背凭れ３を自由に後傾させることができるようになる。
【００３５】
背凭れ３を任意の後傾角度まで後傾させた状態で、操作レバー２２の手掛け部２５から手を離すと、プッシュボタンが、ガススプリング内の復帰ばねの作用により押し出され、それに伴って、レバーが復帰回動させられるとともに、ケーブル３５を介して、操作ハンドル２２も、図３に示す元の不作動位置へ復帰回動させられる。
【００３６】
また、この実施形態のような構成とすると、大型の成型体である肘当て支持部９を含む側枠部材４には、操作レバー２２を装着するための細かな加工を施す必要がなく、しかも、平板状の肘当て部材１０に、操作レバー２２を装着するための加工を、広い作業空間において、簡単に施すことができ、加工時の作業性をよくすることができる。
【００３７】
しかも、肘当て部材１０に、操作レバー２２、および必要に応じてボーデンケーブル３４を予め装着しておいてから、肘当て部材１０を、肘当て支持部９に装着するだけで、操作レバー２２を、狭小な肘掛けにも、簡単かつ迅速に組み付けることができる。
また、肘当て支持部９を断面ほぼＶ字状としてあるので、肘当て支持体９の内部空間が上方ほど広幅となって、操作レバー２２や押え部材３２を余裕を持って収容することができるとともに、肘当て支持部９の上部におけるＶ字状の溝底部に、ボーデンケーブル３４を、側方に遊動することのないように、安定よく配設することができる。
【００３８】
本発明は、上記実施形態のみに限定されるものではなく、特許請求の範囲を逸脱することなく、幾多の変形した態様での実施が可能である。
例えば、図５に示すように、押え部材４０を、水平の取付片４０ａの前端に、上記押え片３０における前向突部３０ａ、３０ａと同様の１対の前向突部４０ｂ、４０ｂを設け、かつ取付片４０ａの後端に垂下片４０ｃを設けて、そこに、アウターチューブ３６の一方の端末に設けたエンドキャップ３７を嵌着するための保持孔４１を設けたものとしてもよい。
【００３９】
また、肘当て部材１０に垂下片１１を設ける代わりに、肘当て支持部９の前端に起立片(図示略)を設け、そこに窓孔１２やねじ挿通孔１３等を設け、そのねじ挿通孔１３に挿通した固定ねじを、肘当て部材１０の前端面に設けたねじ孔に螺合して締め付けるようにしてもよい。
【符号の説明】
【００４０】
１  台座
２  座
３  背凭れ
４  側枠部材(肘当て支持体)
５  中間部肘掛け
６  ベース部
７  起立部
８  肘掛け
９  肘当て支持部
１０  肘当て部材
１１  垂下片
１２  窓孔
１３  ねじ挿通孔
１４  ボス部
１５  ねじ孔
１６  固定ねじ
１７  ねじ孔
１８  ねじ挿通孔
１９  固定ねじ
２０  凹部
２１  軸受片
２２  操作レバー(操作手段)
２３  枢軸
２４  側片
２５  手掛け部
２６  閉塞片
２７  腕片
２８  ボス部
２９  ねじ孔
３０  押え片
３０ａ前向突部
３１  保持片
３１ａ水平片
３１ｂ垂下片
３２  押え部材
３３  保持孔
３４  ボーデンケーブル
３５  ケーブル
３６  アウターチューブ
３７  エンドキャップ
３８  エンド部材
３９  軸
４０  押え部材
４０ａ取付片
４０ｂ前向突部
４０ｃ垂下片
４１  保持孔
【図１】
2010193925.tif 000003
【図２】
2010193925.tif 000004
【図３】
2010193925.tif 000005
【図４】
2010193925.tif 000006
【図５】
2010193925.tif 000007